(57)【要約】【課題】振動を伴う機器に使用する口金付き管球の口金部分に突起形状を設けることでゆるみ防止を図り、かつ管球の取り付け時に必要な回転トルクが少なくなるようにし、更に管球の取り外しに機器側ソケットの損傷が少ないゆるみ防止構造を持つ管球用口金構造の提供。【解決手段】管球口金の螺合部を形成する凸部に凧形の突起を設ける。凧形突起は対角線の頂点近傍が最も高くなるようにし、凧形突起の向きは凧形の２長辺を管球口金の締め付け回転方向に２短辺を管球口金のゆるめ方向とすることで、管球取り付け時に必要な回転トルクの増大を最小限に抑え、かつ、ゆるめ時に必要な回転トルクを大きくする。【選択図】図１
2007305343.tif 000002
【特許請求の範囲】
【請求項１】
ねじ込み方式の口金を備えた管球において、口金ねじ部の最終端近傍に設けたゆるみ防止の突起を管球口金の取り付け方向と取り外し方向とで異なった傾斜とした、ゆるみ防止つき管球用口金構造。
【請求項２】
請求項１に係わるねじ込み方式の口金を備えた管球において、ゆるみ防止の突起形状を、凧形として凧形の対角線の交点近傍が最も高くなるように成型したゆるみ防止つき管球用口金構造。
【請求項３】
請求項２に係わるねじ込み方式の口金を備えた管球において、凧形突起の対角線の交点から項点までの距離を口金の締め付け方向に長く取り、口金のゆるめ方向に短くすることで管球取り付け時に必要な回転トルクの増大を最小限に抑え、かつ、ゆるめ時に必要な回転トルクを大きくしたゆるみ防止つき管球用口金構造。
【発明の詳細な説明】
【技術分野】
【０００１】
本発明は、エレベーター等のように振動を伴う機器や部位に使用する、表示・照明用管球に好適な口金の緩み防止構造を持つ管球用口金構造に関する。
【背景技術】
【０００２】
エレベーターには乗りかごの現在位置や運転方向を利用者に案内する表示灯が設けられている。これらの表示灯には、白熱電球やネオン球やＬＥＤ電球が使われる。
【０００３】
ここで、エレベーターのように常に大小の振動を伴いながら運転する構造物では、使用される管球にも振動が伝達される。長年の間の運転に伴う振動のためにソケットにねじ込まれた口金部分が緩んできて結果的に不点灯になることがある。また、管球口金のゆるみは、単に表示灯の不点灯だけでなく、口金電極部の接触不良による接触部分の発熱を生じることがあり、管球の寿命を著しく低下させることがある。このように階床表示灯に何らかの不具合が生じて表示灯の不点灯が発生した場合、管球の点検や交換作業が必要になるが、通常、エレベーターの表示灯の管球交換は専門技術者による作業が必要となる。表示灯の不点灯は管球が装着されるエレベーターのような構造物の利用者のみならず、保全を担当する者にとっても突発的に発生する。そして、管球の交換は多くの場合、即日もしくは翌日早朝での対応を要求されるため、計画的な保全作業を阻害する要因となっており、未然の不点灯防止が望まれる。不点灯の防止には管球の長寿命化が最も有効な手段として考えられるが、管球口金のゆるみによる不点灯の対策が求められていた。この管球の口金部分の緩み防止を目的に管球の口金部分に突起した構造物を付加した口金構造が提案されている（例えば、特許文献１参照）。
【特許文献１】特開２００１−０７６６８７公報
【発明の開示】
【発明が解決しようとする課題】
【０００４】
ところで、上述した従来の管球の口金構造は管球のゆるみ防止としては有効であると推測されるが、突起構造による摩擦抵抗により、取り付け時に必要となる回転トルクの無用な増大が避けられない。また、突起構造によるソケット側への負荷が大きく、ソケット変形による接触不良やゆるみ防止効果の希薄化などの弊害が考えられる。本発明は上述した従来技術における課題を克服すべくなされたもので、その目的は、管球をソケットに取り付ける際に必要な回転トルクを不必要に増大させずに管球のゆるみ防止を実現することにある。また第２の目的は、管球をソケットから取り外す必要が生じた場合のソケットへの負荷を最小限にした管球口金のゆるみ防止構造を提供することにある。また第３の目的は、管球をソケットに取り付ける際に必要な回転トルクを取り外す際に必要な回転トルクに比べて小さくすることで作業者の負担を最小限にした管球用口金構造を提供することにある。
【課題を解決するための手段】
【０００５】
上記目的を達成するため、本発明は、口金の外周部に形成されたスクリュー状の雄ねじ部を形成した管球において、管球口金のスクリュー状ねじの凸部を管球口金の取り付け方向と取り外し方向とで異なった傾斜とした口金ゆるみ防止のための突起構造を設ける。この突起構造は管球口金の締め付け方向の最終端近傍に設けることとする。このように構成した請求項１記載に係る発明によれば、口金ソケットに管球を取り付ける際、作業員が手で右回転の取り付け方向に管球を回しても、ゆるみ防止の突起の傾斜が緩やかなために大きな抵抗感を感じずに作業ができる。一方、管球を取り外す方向である左回転に対しては、ゆるみ防止の突起の傾斜が急なために振動などで口金部の噛合がゆるむことがない。ただし、管球の交換や清掃を目的に取り外しをする場合は、作業員が左回転の取り外し方向に管球を回すが、ゆるみ防止の突起には傾斜がつけられているので、口金ソケットの破損や、過大な回転トルクを必要とすることなく取り外し作業をおこなうことができる。また、第２の目的を達成するために、本発明の請求項２記載に係る発明は、管球口金をソケットに取り付ける際に必要な右回転時の回転トルクとソケットから取り外す際に必要な左回転時のトルクが異なるように突起形状は凧形とする。このように構成した請求項２記載に係る発明によれば、管球をソケットから取り外す必要が生じた場合のソケットへの負荷を最小限にするこができる。また、第３の目的を達成するために、本発明の請求項３記載に係る発明は、凧形の突起構造を、対角線の交点近傍が頂点となるように緩やかな傾斜による凸状を形成している。また凧形の２長辺を管球口金の縮め付け方向に向け、２短辺を管球口金のゆるめ方向となるようにスクリュー状ねじ山の上部にねじ山の方向と平行に配置する。このように構成した請求項３記載に係る発明によれば、管球取り付け時に必要な回転トルクの増大を最小限に抑え、かつ、ゆるめ時に必要な回転トルクを大きくすることができる。
【発明の効果】
【０００６】
以上のように、本発明によればエレベーターの様に運転中に振動を伴う機器の表示や照明用管球のゆるみ防止を図ることができる。結果的に管球そのものの不具合による不点灯などを除き、突発的な交換対応の必要性が無くなり、計画的な保全作業が行える。また、エレベーターなどの機器の利用者に対しても管球の不点灯に伴う不便さを与えることがない。
【発明を実施するための最良の形態】
【０００７】
以下、本発明に係る管球の口金構造のゆるみ防止の実施形態を図に基づいて説明する。
【０００８】
図１は本発明の一実施形態を示す管球の全体側面図である。
【０００９】
図２は本発明の一実施形態を示す管球の口金部分の側面図である。
【００１０】
図３は図２に示した本発明の一実施形態を示す管球の側面図中矢視Aからみた底面図である。図４は図２に示した本発明の一実施形態例に係わる口金つき管球口金部に設けた凧形突起の拡大図である。管球は不活性ガスを封入した管球ガラスバルブ１と図示しないガラスバルブ中の発光電極、および口金２と中心電極３から構成される。管球ガラスバルブ１は口金２に接着されている。このような管球はソケット（図示せず）に螺合させ、口金２と中心電極３を互いに電気的に接続させた上で使用する。ここで管球をソケットに取り付ける際は中心電極３側から口金２をソケット（図示せず）にあてがい、管球ガラスバルブ１の部分を手で回して作業を行うが、螺合による固定であり、特にゆるみ防止構造を持たないため、装着初期時の螺合状態よりもゆるんでくることがある。このゆるみは長期的な使用の間に外部から受ける振動や、管球自体の点灯や消灯に伴う温度上昇、温度下降により生じる。外部から受ける振動については、当該管球を使用する機器自体に管球に直接振動が伝わらない構造とする対応策も考えられるが、エレベーターのようにもともと走行することが前提である構造物の場合には防振対策の実施はあまり実用的でない。一方、温度上昇や温度下降が螺合部分に与える長期的な熱ストレスによる螺合部分のゆるみについては、白熱管球に比べて発熱の少ないＬＥＤランプを使用する対応策もあるが、口金２のソケットとの螺合のゆるみは前述の振動によるものも含まれるため、ゆるみ防止に対しては万全ではない。更にゆるみ防止を目的に口金部分に接着剤等を用いて口金とソケットを固定する方法も考えられるが、管球の寿命などにより交換する必要性が生じた場合に往生することになる。
【００１１】
このような問題点に鑑み本発明では、管球の口金２の螺合部に凧形の突起形状を形成した。この突起形状は口金２のねじ部の向きと平行に形成しており、螺合状態の保持の役目を果たす。また凧形突起としたことにより、図３、図４に示す口金２を締め付け方法（矢印ｉの向き）である右回転した場合には凧形突起４による緩やかな傾斜により必要な回転トルクが小さくなるため、作業者への負担が軽減できる。一方、管球を取り外す方向（矢印ｒの向き）である左回転した場合は凧形突起４の回転方向に対する傾斜が締め付け方向よりも急であるため、振動や温度変化などで口金２がゆるむことがない。
【００１２】
なお、凧形突起４は電極の一端を為す口金２の金属部分にスクリュー状のねじ山と一体化させて成型する。これにより取り付け、取り外し時に凧形突起４が脱落するなどの破損を防止する。
【００１３】
なお、前記実施の形態ではエレベーターに使用される一般の白熱電球の場合について説明したが、これに限らず一般家庭やビルなどの居室照明に用いられる管球形蛍光ランプや反射形管球、高圧放電ランプ等のスクリュー状に螺合する構造を持つ口金を用いている管球すべてにおいて前期と同様の効能を極めて安価に供することができる。
【図面の簡単な説明】
【００１４】
【図１】本発明の一実施形態を示す口金つき管球の全体図である。
【図２】本発明の一実施形態に係る口金つき管球の口金拡大図である。
【図３】図２の矢視Ａから見た本発明の一実施形態に係る口金つき管球の口金部拡大図である。
【図４】本発明の一実施形態に係る口金つき管球口金部に設けた凧形突起の拡大図である。
【符号の説明】
【００１５】
１  菅球ガラスバルブ
２  口金
３  中心電極
４  凧形突起
【図１】
2007305343.tif 000003
【図２】
2007305343.tif 000004
【図３】
2007305343.tif 000005
【図４】
2007305343.tif 000006